(57)【要約】【課題】  被噴霧体の人体等の全身に薬液を噴霧する噴霧装置において、小型、省コストにより、簡単に人体の広範な部分に薬液を噴霧し、更に、手、腕などの重点的な噴霧を可能とする薬液噴霧装置を提供する。【解決手段】  被噴射体に対応した高さの前壁部に噴射ノズルを設けた薬液噴霧装置において、前記噴射ノズルを被噴霧体に直接薬液が吹きかからない前壁部に沿った側方に薬液を噴霧するとともに、噴霧された霧状の薬液を更に被噴霧体に向けた前面壁に配置した被噴霧体の形状に対応したスリットからの送風に曝して、該送風により噴霧状態を拡散させて被噴霧体全体に噴霧薬液を曝して被噴射体に付着した臭い、細菌、ウィルスを取り除く。【選択図】  図１
2010269285.tif 000002
【特許請求の範囲】
【請求項１】
被噴射体に対応した高さの前壁部に噴射ノズルを設けた薬液噴霧装置において、前記噴射ノズルを被噴霧体に直接薬液が吹きかからない前壁部に沿った側方に薬液を噴霧するとともに、噴霧された霧状の薬液を更に被噴霧体に向けた前面壁に配置した被噴霧体の形状に対応したスリットからの送風に曝して、該送風により噴霧進路を変えてるとともに噴霧状態を拡散させて、被噴霧体の全体に噴霧薬液を曝して該被噴射体に付着した臭い、細菌、ウィルスを取り除くことを特徴とする薬液噴霧装置。
【請求項２】
前記被噴霧体が人体、着衣、及び、装着する履き物であることを特徴とする請求項１に記載の薬液噴霧装置。
【請求項３】
前記噴射ノズルは、異なる位置に複数備えたことを特徴とする請求項１又は２に記載の薬液噴霧装置。
【請求項４】
薬液の霧を発生させる超音波霧化装置を足元近傍に設置したこと特徴とする請求項２又は３に記載の薬液噴霧装置。
【発明の詳細な説明】
【技術分野】
【０００１】
本発明は、喫煙の許された空間、多くの人が集まる空間等に長時間滞在した人の身体、髪の毛、衣服などに付着した臭い、有害物質又は細菌、ウィルス等を取り除くために、全身に薬剤を噴霧する薬剤噴霧装置に関するものである。
【背景技術】
【０００２】
従来、人の身体、髪の毛、衣服に付着した有害物質又は細菌、ウィルスを除去する装置は、使用者が噴霧器を手で持って、シャワー形状の噴射ノズルを除去が必要とする手等の局所に向けて直接噴霧するものが知られている。これは、少なくとも片方の手を使うため、両手を同時に噴霧・洗浄することができない。
このため、特許文献１に開示されているように、壁やテーブル上等に配置した固定式のノズルで使用者に直接噴霧する方法が知られている。また、特許文献２に開示されているように、密室状の大規模な室内装置内に薬液を霧化して、人がその室内に入って消毒をする方法が知られている。
【先行技術文献】
【特許文献】
【０００３】
【特許文献１】特開２００７−２９７７３号公報
【特許文献２】特開２００５−２８７６０７号公報
【発明の概要】
【発明が解決しようとする課題】
【０００４】
しかしながら、特許文献１の従来装置の固定式ノズル方式では、シャワー形状のノズルで使用者が任意の部分に噴霧するには適するが、上半身全体等の大きな面積に噴霧する場合などには長時間を要し、全体を一気に噴霧するとなると噴射ノズルと被噴霧体との距離を大きくして広範囲に散布しなければならず、狭い場所では噴霧された薬液を広範囲とすることは困難であった。また、特許文献２の浴室方式では、密室状の大規模な装置はその構造上コストが高く、大きな設置面積が必要となる。
従来の特許文献１と特許文献２とを組み合わせたことも考えられ、固定式ノズルで直接噴霧する方法であれば、広範囲に同時に薬液を噴霧することも可能であるが、ノズルと被噴霧体に規定の距離をとる必要があり形状が制限される又上方より下方に噴霧する方法では高さの非常に高い装置が必要となり装置の大型化、コストアップが避けられず、簡易に設置することはできない。
【０００５】
本発明は、上述の課題に鑑みてなされたもので、被噴霧体の人体等の全身に薬液を噴霧する噴霧装置において、小型、省コストにより、簡単に人体を着衣ごと、或いは、衣服等の広範な部分に薬液を噴霧し、また、全身の外、手、腕などの局部に重点的な噴霧を可能とする薬液噴霧装置を提供するものである。
【課題を解決するための手段】
【０００６】
上記課題を解決するために、請求項１の発明は、被噴射体に対応した高さの前壁部に噴射ノズルを設けた薬液噴霧装置において、前記噴射ノズルを被噴霧体に直接薬液が吹きかからない前壁部に沿った側方に薬液を噴霧するとともに、噴霧された霧状の薬液を更に被噴霧体に向けた前面壁に配置した被噴霧体の形状に対応したスリットからの送風に曝して、該送風により噴霧進路を変えるとともに噴霧状態を拡散させて、被噴霧体全体に薬液ミストを付着させ、該被噴射体に付着した臭い、細菌、ウィルスを取り除くことを特徴とする。
請求項２の発明は、請求項１に記載の薬液噴霧装置において、前記被噴霧体が人体、着衣、及び、装着する履き物であることを特徴とする。
請求項３の発明は、請求項１又は２に記載の薬液噴霧装置において、前記噴射ノズルは、異なる位置に複数備えたことを特徴とする請求項１又は２に記載の薬液噴霧装置。
請求項４の発明は、請求項２又は３に記載の薬液噴霧装置において、薬液の霧を発生させる超音波霧化装置を足元近傍に設置したこと特徴とする。
【発明の効果】
【０００７】
請求項１の発明によれば、装置の前壁部の壁面に沿って側方へ噴射ノズルから薬液を噴霧し、被噴霧体の形状に対応したスリットから送風に曝して、広範囲に低速で霧を被噴霧体に接触させることができ、一気に被噴霧体の全体に薬液ミストを付着させることができる。また、噴霧が方向を変えて拡散されているので、被噴霧体である使用者が一部分に集中的に薬液を浴び不快な思いをすることなく、除菌脱臭を行うことができる。
数少ない薬液噴霧ノズルを設置するだけで、人体等の被噴霧体の広範な部分に薬液を比較的均一に噴霧でき、逆に、噴射ノズルに近い部分に被噴霧体の局部等、例えば、手、腕等をかざすことも可能で、この場合は、任意に集中的な箇所の除菌脱臭も可能となる。このことは、手指など大量の薬液で十分に除菌でき、感染症を予防する効果も大きい。
更に、従来のように、密閉された室内空間等に入室する必要は無く、薬液噴霧装置の前壁部の前に立つだけで、ある程度の除菌脱臭、手指の除菌が行えるので、集会場や飲食店等の多くの人が集まる空間に出入りする人間にとって簡易に脱臭、除菌ができる。実際に小さな負担で、除菌、脱臭効果による、感染症の回避、着衣、髪の毛に付着した臭いが減少することの快適性に加え、大きな安心感をもたらすことができる。
請求項２の発明によれば、請求項１の効果に加えて、被噴霧体を人体、着衣、及び、装着する履き物であるので、使用者が前壁部の前に立つだけで、着衣や履き物ごと人及び髪の毛を含めて全部を一気に薬液ミストに曝すことができる。
請求項３の発明によれば、請求項１又は２の効果に加えて、異なる位置に複数の噴射ノズルを備えたことより、被噴霧体に満遍なく薬液霧に接触させることができる。
請求項４の発明によれば、請求項２又は３の効果に加えて、足元の近傍には薬液の霧を発生させる超音波霧化装置を設けたので、足元や靴下や靴等の除菌を重点的に行うことができる。
【図面の簡単な説明】
【０００８】
【図１】本発明による薬液噴霧装置の実施例を概略的に示す斜視図。
【図２】本発明の実施例の薬液噴霧装置のブロック図である
【発明を実施するための形態】
【０００９】
以下、図面を参照して本発明の好適な薬液噴霧装置の実施の形態の一実施例について詳細に説明する。
図１は、主に、被噴霧体Ａとして人は、頭髪Ｂを露出し、衣服Ｃをまとい、履き物Ｄを装着しており、上半身全部を除菌や脱臭を対象とした薬液噴霧装置１の概略図である。
図１に示すように、薬液噴霧装置１は、被噴霧体としての人Ａの立つことができる大きさと頑強さを有する踏み台１２を設け、この踏み台１２の一端に通常の人Ａの背丈よりやや高い前壁部１１、すなわち、被噴射体に対応した高さの前壁部１１を立設し、その頂部には不必要な場所への飛散を防ぐ庇部１３が設けられている。
前壁部１１は幅が約60cmで高さが人の背丈よりやや高い約2m程度の平面であり、背面に厚さ20cm程度の各種装置を収納する装置収納枠体111が配置されており、背面壁には、後述する送風のための空気取り入れ口２３(図２参照)が設けられている。
【００１０】
前壁部１１の中央上半分に、縦に細長く人の上半身の長さの送風スリット１６が設けられ、人Ａの腰部分の高さに薬液タンク収納部１４が設けられ、この薬液タンク収納部１４の前部に扉部141が設けられて薬液タンク５の出し入れが容易であり、上面部142には上向き方向に噴射する噴射ノズル１５が設けられており、周囲には噴射ノズルであることを注意喚起するイルミネーション１５４が配置されている。なお、送風スリット１６の形状は被噴霧体の形状に対応したものとするのが好ましい。
また、踏み台１２の前壁部１１の前面部には超音波霧化装置１７が配置され、前壁部１１の中央部の近傍には赤外線センサー等の人感センサー３が配置されている。さらに、人Ａのほぼ目の高さには、本装置の操作方法に関する説明や動画の映像が写し出される液晶ディスプレイ１８が設けられている。
【００１１】
この装置収納枠体111には、噴霧ノズル１５（第２噴射ノズル152、第３噴射ノズル153）からの噴射や、送風スリット１６(第２送風スリット162、第３送風スリット163)からの送風装置２や送風ファン２１を制御する制御装置４等が収納されており、この制御系及び駆動系は図２のブロック図に示すようなもので以下のように説明する。
制御装置４は電源装置４１により電源が供給され稼働するが、人Ａが踏み台１２に立つと、人感センサー３によって検出信号を制御装置４に入力する。この検出信号により送風装置２の送風ファン２１を駆動する。この送風装置２は薬液噴射装置１の裏面に設けた外気取入口２３から外気を取り入れ、この外気はフィルター２２を介して送風ファン２１により、ダクト２４に接続する送風スリット１６から送風される。
人感センサー３としたのは、使用者が全く薬液噴霧装置１に接触すること無く、周辺空間の除菌脱臭にも一定の効果を示すこととなり、衛生的である。もっとも、コスト面やセンサーの稼働安定性から人感センサー３ではなく通常の手動のスイッチにしてもよいことは勿論である。
【００１２】
また、送風ファン２１と同時に、ＤＶＤ再生装置７が起動し、本装置の操作方法に関する説明や動画の映像を再生させ、液晶ディスプレイ１８に写し出し、使用者が正常に本装置を使用できるように指示する。勿論、ＤＶＤ再生装置７でなくても、メモリーカードやハードディスク等に記憶した説明や動画を写し出すようにしてもよい。
そして、上記送風の送風ファン２１の駆動を待って(同時でもよい。)、薬液タンク５に接続されたコンプレッサー６が起動し、適正な噴射量に調整する調整バルブ６１を介して、噴射ノズル１５から薬液が上方に向かって噴霧され、また、超音波霧化装置１７も稼働して足元に向かって薬液を噴霧する。
なお、本実施例での薬液は次亜塩素溶液を使用しているが、これは、この薬液の霧に曝すことで、身体、髪の毛、衣服などに付着した臭い、有害物質又は細菌、ウィルスを取り除くためである。
【００１３】
次に、本実施例の薬液噴霧装置１の作用を説明すると、薬液を噴霧する噴霧ノズル１５は、踏み台１２の位置に立つ人に直接噴霧することを避け、一旦、前壁部１の壁面に沿って側方、且つ、上方に向かって噴霧され、この上方に向かって噴霧さされたミスト（霧）は上部にある送風スリット１６に誘導される。そして、上方に向かって噴射(図１のＸ方向)されたミスト（霧）は、送風スリット１６からの人に向う送風により進路(図１のＹ方向)を変えて、且つ、広い範囲に拡散される。本実施例の場合は、送風スリット１６が人の上半身に対応した形状であるので、人の対象部位である上半身の前側の全てに曝し薬液を付着させる。そして、人の前側での薬液の付着が終わると、人は踏み台１２上で向きを変えて、前壁部１１を背中側を向けて続けてミスト（霧）に曝せば、全身くまなく薬液を付着させることができる。
さらに、感染症の防止に重点をおいた場合、足元、靴底の除菌が大きなファクターとなる為、液体除菌剤に靴底を浸すことが最も効果的であるが、靴底が液体で濡れると周囲を汚し、美観に問題が発生する場合も多いことから、超音波霧化装置１７を足元近傍に配置して、多少脱臭効果や除菌効果は弱まるが、超音波霧化により発生した細かい霧を床面に常時発生させ靴底、床面の除菌を行なうことができる。  
【００１４】
ところで、全身を被噴射対象とする場合は、上半身に比べより高い圧力で噴霧し、ノズルを床面付近に設置することで可能であり、送風スリット１６も更に縦長にすればよく、図２での点線で示すように、上段の噴射ノズル１５の外に、中段の第２噴射ノズル152や、下段の第３噴射ノズル153の二つのノズル、それに対応する第２ダクト242に接続する第２送風スリット162や、第３ダクト243に接続する第３送風スリット163の二つの送風スリットを組み合わせることでも可能となる。同様に、２又は３個の噴射ノズル152、153、２又３個の送風スリット162,163を横並びに配置し、より広範囲に薬液を噴霧させることも効果的であり、必要に応じて設ければよい。
また、被噴霧体を人としたが、人以外の衣服等にしてもよく、更に、被噴霧体形状に合わせて調整バルブ61,62,63,64を調整すればよい。
【００１５】
以上、本発明の実施例によれば、薬液噴霧装置１の噴射ノズル１５を前壁部１１に設け、被噴射体に対応した高さの前壁部１１の壁面に沿って噴射ノズル１５から薬液を上方に噴霧し、その薬液の被噴霧体の形状に対応した上部の送風スリット１６から送風に曝して、広範囲に低速で霧を被噴霧体に接触させることができ、被噴霧体である使用者は一部分に集中的に薬液を浴び不快な思いをすることなく、除菌脱臭を行うことができる。
また、数少ない薬液の噴霧ノズル15,152,153にて、人体等の被噴霧体の広範な部分に薬液を比較的均一に噴霧できる。又、噴射ノズル15,152,153に近い部分でこの被噴霧体の局部等の、例えば、手、腕等をかざすことも可能であり、任意に集中的な除菌脱臭も可能となる。手指など大量の薬液で十分に除菌でき、感染症を予防できる。
また、異なる位置に複数のノズルを備えれば、被噴霧体に満遍なく薬液霧に接触させることができ、足元近傍には薬液の霧を発生させる超音波霧化装置を設けたので、足元や靴下や靴等の除菌を重点的に行うことができる。
更に、従来のように、密閉された空間などにはいること無く、薬液噴霧装置１の前壁部１１の前に立つだけで、ある程度の除菌脱臭、手指の除菌が行えることは、飲食店等の多くの人が集まる空間に出入りする人間にとって、実際の除菌、脱臭効果による感染症の回避、着衣、髪の毛に付着した臭いが減少することの快適性に加え、大きな安心感をもたらすことができる。
【００１６】
また、本発明の実施例の薬液噴射装置１は、設置場所を小さくすることができ、設置する箇所は、店舗や学校や集会所といった人の集まる場所に置けば効果的であるが、店舗においた場合には、顧客への衛生感覚を喚起することや、サービスとして大きくアピールすることができる。
なお、本発明の特徴を損なうものでなければ、前述の実施例に限定させるものでないことは勿論である。例えば、被噴射体として、人としたが、衣類や履き物だけでのよく、また、送風スリット１６,162,163や噴射ノズル15,152,153や超音波霧化装置１７は必要に応じて適宜組み合わせても良いことは勿論であり、実施例では噴射ノズル１５の噴射方向を側方である真上にしているが、直接人に向けなければ、前壁部１１に沿った左右方向でも、下方等の側方であればよく、この噴霧方向を送風スリットで進路方向を変え、且つ拡散するようにすれば良い。
【符号の説明】
【００１７】
Ａ・・被噴射体(人体)、Ｂ・・髪の毛、Ｃ・・衣服、Ｄ・・履き物
１・・  薬液噴霧装置、
１１・・前壁部、111・・装置収納枠体、
１２・・踏み台、
１３・・庇部、
１４・・薬液タンク収納部、141・・扉部、  142・・上面部
１５・・噴霧ノズル、152・・第２噴射ノズル、153・・第３噴射ノズル
154・・注意喚起のイルミネーション
１６・・送風スリット、162・・第２送風スリット、163・・第３送風スリット
１７・・超音波霧化装置、
１８・・液晶ディスプレイ
２・・送風装置、２１・・送風ファン、２２・・フィルター、
２３・・外気取入口、
２４・・ダクト、242・・第２ダクト、243・・第３ダクト
３・・人感センサー、
４・・制御装置、４１・・電源装置、
５・・薬液タンク
６・・コンプレッサー、61,62,63,64・・調整バルブ、
７・・ＤＶＤ再生装置、
【図１】
2010269285.tif 000003
【図２】
2010269285.tif 000004